(57)【要約】【課題】複数存在するコスト削減策の中からどのコスト削減策を、選択すれば良いのかを提案可能にする技術を提供する。【解決手段】電力使用量全体に対する単相三線使用量の割合と、単相三線のＲ相のＲ平均電圧と、単相三線のＴ相のＴ平均電圧と、単相三線のＲ相のＲ平均電流値と単相三線のＴ相のＴ平均電流値との差と、の少なくともいずれか一つ以上に基づき、コスト削減策を選択するコスト削減策出力部２３０を有し、コスト削減策出力部２３０は、選択したコスト削減策を導入することによるコスト削減額と、コスト削減策を導入した場合の導入コストと、導入コストをコスト削減額で除算することで得られる設置コスト回収年数と、の少なくともいずれか一つ以上を含むコスト削減策提案情報を出力する。【選択図】図１
2017162422.tif 000002
【特許請求の範囲】
【請求項１】
電力使用量全体に対する単相三線使用量の割合と、単相三線のＲ相のＲ平均電圧と、前記単相三線のＴ相のＴ平均電圧と、前記単相三線のＲ相のＲ平均電流値と前記単相三線のＴ相のＴ平均電流値との差と、の少なくともいずれか一つ以上に基づき、コスト削減策を選択するコスト削減策出力部を有し、
前記コスト削減策出力部は、選択した前記コスト削減策を導入することによるコスト削減額と、前記コスト削減策を導入した場合の導入コストと、前記導入コストを前記コスト削減額で除算することで得られる設置コスト回収年数と、の少なくともいずれか一つ以上を含むコスト削減策提案情報を出力する、
コスト削減策提案装置。
【請求項２】
請求項１に記載のコスト削減策提案装置において、
前記コスト削減策出力部は、前記単相三相使用量の割合が所定値未満である場合に、前記コスト削減策として三相三線の消費電力の削減を行う三相三線消費電力削減装置を選択する、コスト削減策提案装置。
【請求項３】
請求項１に記載のコスト削減策提案装置において、
前記コスト削減策出力部は、電力が計測された対象施設に白熱灯、蛍光灯、水銀灯のいずれかが使用されており、かつ、前記単相三線使用量の割合が所定値以上である場合に、前記コスト削減策としてＬＥＤ照明を選択する、コスト削減策提案装置。
【請求項４】
請求項１に記載のコスト削減策提案装置において、
前記コスト削減策出力部は、前記Ｒ平均電圧と前記Ｔ平均電圧との少なくともいずれか一方が所定値を超える場合に、前記コスト削減策として前記Ｒ平均電圧と前記Ｔ平均電圧とを抑制する電圧抑制装置を選択する、コスト削減策提案装置。
【請求項５】
請求項１に記載のコスト削減策提案装置において、
前記コスト削減策出力部は、前記Ｒ平均電圧と前記Ｔ平均電圧との少なくともいずれか一方が所定値を超え、かつ、前記Ｒ平均電圧と前記Ｔ平均電流値との差が所定値以上である場合に、前記コスト削減策として前記Ｒ平均電圧と前記Ｔ平均電圧とを抑制する電圧抑制装置を選択する、コスト削減策提案装置。
【請求項６】
請求項１に記載のコスト削減策提案装置において、
前記コスト削減策出力部は、電力が計測された対象施設の屋上の面積が所定値以上である場合に、前記コスト削減策として太陽光発電システムを選択する、コスト削減策提案装置。
【請求項７】
請求項１に記載のコスト削減策提案装置において、
前記コスト削減策出力部は、各月の最大需要電力の平均値を算出し、前記各月の最大需要電力のうち、前記平均値を所定値以上超える最大需要電力がある場合に、前記コスト削減策として単相三線消費電力削減装置を選択する、コスト削減策提案装置。
【請求項８】
請求項１に記載のコスト削減策提案装置において、
対象施設の単相三線の電力の使用状況を示す生データから有効消費電力量と、前記Ｒ平均電圧と、前記Ｔ平均電圧と、前記Ｒ平均電流値と、前記Ｔ平均電流値と、を含む電力計測データを抽出するデータ抽出部をさらに有する、コスト削減策提案装置。
【請求項９】
請求項１に記載のコスト削減策提案装置において、
前記抽出データに基づき、前記単相三線使用量の割合と、前記単相三線の使用量と、Ｒ平均電流値とＴ平均電流値との差が最大となる前記Ｒ平均電流値および前記Ｔ平均電流値との少なくともいずれか一つ以上を算出および／または前記抽出データから値が最大となる前記Ｔ平均電圧および前記Ｒ平均電圧を抽出する検証用データ生成部をさらに有する、コスト削減策提案装置。
【請求項１０】
請求項１に記載のコスト削減策提案装置において、
日付と、総有効消費電力量と、前記Ｒ平均電流値と、前記Ｔ平均電流値と、前記Ｒ平均電圧と、前記Ｔ平均電圧との少なくともいずれか一つ以上を含む、１週間分の日別検証用データに基づいて、１ヶ月の間の単相三線の使用量である月間単相三線使用量を算出する検証用データ生成部をさらに有する、コスト削減策提案装置。
【請求項１１】
請求項１０に記載のコスト削減策提案装置において、
前記検証用データ生成部は、前記月間単相三線使用量に、月別単相三線使用係数を乗算することで、各月の月間単相三線使用量を算出する、コスト削減策提案装置。
【請求項１２】
コスト削減策を出力するコスト削減策出力部を有するコスト削減策提案装置におけるコスト削減策提案方法であって、
前記コスト削減策出力部が、電力使用量全体に対する単相三線使用量の割合と、単相三線のＲ相のＲ平均電圧と、前記単相三線のＴ相のＴ平均電圧と、前記単相三線のＲ相のＲ平均電流値と前記単相三線のＴ相のＴ平均電流値との差と、の少なくともいずれか一つ以上に基づき、コスト削減策を選択する、コスト削減策選択ステップと、
前記コスト削減策出力部が、選択した前記コスト削減策を導入することによるコスト削減額と、前記コスト削減策を導入した場合の導入コストと、前記導入コストを前記コスト削減額で除算することで得られる設置コスト回収年数と、の少なくともいずれか一つ以上を含むコスト削減策提案情報を出力する、コスト削減策提案ステップと、
を有する、コスト削減策提案方法。
【請求項１３】
コスト削減策を出力するコスト削減策出力部を有するコスト削減策提案装置のコンピュータに実行させるためのコスト削減策提案プログラムであって、
前記コスト削減策出力部が、電力使用量全体に対する単相三線使用量の割合と、単相三線のＲ相のＲ平均電圧と、前記単相三線のＴ相のＴ平均電圧と、前記単相三線のＲ相のＲ平均電流値と前記単相三線のＴ相のＴ平均電流値との差と、の少なくともいずれか一つ以上に基づき、コスト削減策を選択する、コスト削減策選択ステップと、
前記コスト削減策出力部が、選択した前記コスト削減策を導入することによるコスト削減額と、前記コスト削減策を導入した場合の導入コストと、前記導入コストを前記コスト削減額で除算することで得られる設置コスト回収年数と、の少なくともいずれか一つ以上を含むコスト削減策提案情報を出力する、コスト削減策提案ステップと、
を前記コンピュータに実行させる、コスト削減策提案プログラム。
【発明の詳細な説明】
【技術分野】
【０００１】  本発明は、コスト削減策提案装置およびコスト削減策提案方法ならびにコスト削減策提案プログラムに関する。
【背景技術】
【０００２】  近年、環境負荷や、企業に請求される電力の使用量を低減させるために、電力使用量を削減させる策（以下、コスト削減策と呼ぶ場合がある）の企業や家庭への導入が進んでいる。【０００３】  コスト削減策の一例として、特開２０１４−９３３７８号公報（特許文献１）には、「コアと、コアに巻回される１次巻線と、コアに巻回される２次巻線とを備え、電源に接続される１次巻線を形成する線路は導線からなり、負荷に接続される２次巻線を形成する線路は導線からなり、１次巻線を形成する線路と２次巻線を形成する線路とを組にした一対の線路が、コアに単層又は複層巻回されることでコイルが形成され、かつ、１次巻線及び２次巻線における電流の向きが逆向きになるように配列されている」電力用トランスが記載されている。
【先行技術文献】
【特許文献】
【０００４】
【特許文献１】特開２０１４−９３３７８号公報
【発明の概要】
【発明が解決しようとする課題】
【０００５】  特許文献１に記載されている技術では、コイルからの漏洩磁束を減少させ、コアを介し
た磁束結合を向上させることで、小型軽量で省エネ性と安定性に優れた電力用トランスを提供できる。【０００６】  しかしながら、特許文献１に記載されている技術では、複数存在するコスト削減策の中からどのコスト削減策を、選択すれば導入効果が最大になるかを、ユーザに示すことについては考慮されていない。そのため、特許文献１に記載されている技術では、複数存在するコスト削減策の中からどのコスト削減策を、選択すれば良いのかユーザが知ることができないという問題があった。
本発明の目的は、複数存在するコスト削減策の中からどのコスト削減策を、選択すれば良いのかを提案可能にする技術を提供することである。
【課題を解決するための手段】
【０００７】  本願において開示される発明のうち、代表的なものの概要を簡単に説明すれば、次の通りである。【０００８】  本発明の一実施の形態のコスト削減策提案装置は、電力使用量全体に対する単相三線使用量の割合と、単相三線のＲ相のＲ平均電圧と、前記単相三線のＴ相のＴ平均電圧と、前記単相三線のＲ相のＲ平均電流値と前記単相三線のＴ相のＴ平均電流値との差と、の少なくともいずれか一つ以上に基づき、コスト削減策を選択するコスト削減策出力部を有する。また、前記コスト削減策出力部は、選択した前記コスト削減策を導入することによるコスト削減額と、前記コスト削減策を導入した場合の導入コストと、前記導入コストを前記コスト削減額で除算することで得られる設置コスト回収年数と、の少なくともいずれか一つ以上を含むコスト削減策提案情報を出力する。【０００９】  本発明の一実施の形態のコスト削減策提案方法は、コスト削減策を出力するコスト削減策出力部を有するコスト削減策提案装置におけるコスト削減策提案方法であって、前記コスト削減策出力部が、電力使用量全体に対する単相三線使用量の割合と、単相三線のＲ相のＲ平均電圧と、前記単相三線のＴ相のＴ平均電圧と、前記単相三線のＲ相のＲ平均電流値と前記単相三線のＴ相のＴ平均電流値との差と、の少なくともいずれか一つ以上に基づき、コスト削減策を選択する、コスト削減策選択ステップを有する。また、前記コスト削減策出力部が、選択した前記コスト削減策を導入することによるコスト削減額と、前記コスト削減策を導入した場合の導入コストと、前記導入コストを前記コスト削減額で除算することで得られる設置コスト回収年数と、の少なくともいずれか一つ以上を含むコスト削減策提案情報を出力する、コスト削減策提案ステップを有する。【００１０】  本発明の一実施の形態のコスト削減策提案プログラムは、コスト削減策を出力するコスト削減策出力部を有するコスト削減策提案装置のコンピュータに実行させるためのコスト削減策提案プログラムであって、前記コスト削減策出力部が、電力使用量全体に対する単相三線使用量の割合と、単相三線のＲ相のＲ平均電圧と、前記単相三線のＴ相のＴ平均電圧と、前記単相三線のＲ相のＲ平均電流値と前記単相三線のＴ相のＴ平均電流値との差と、の少なくともいずれか一つ以上に基づき、コスト削減策を選択する、コスト削減策選択ステップを前記コンピュータに実行させる。また、前記コスト削減策出力部が、選択した前記コスト削減策を導入することによるコスト削減額と、前記コスト削減策を導入した場合の導入コストと、前記導入コストを前記コスト削減額で除算することで得られる設置コスト回収年数と、の少なくともいずれか一つ以上を含むコスト削減策提案情報を出力する、コスト削減策提案ステップを前記コンピュータに実行させる。
【発明の効果】
【００１１】  本願において開示される発明のうち、代表的なものによって得られる効果を簡単に説明すれば以下のとおりである。
本発明の代表的な実施の形態によれば、複数存在するコスト削減策の中からどのコスト削減策を、選択すれば良いのかを提案できる。
【図面の簡単な説明】
【００１２】
【図１】本発明の実施の形態１におけるコスト削減策提案システムの構成例の概要を示す図である。
【図２】本発明の実施の形態１におけるコスト削減策提案装置のデータ記憶部に記憶されている抽出データの構成例の概要を示す図である。
【図３】本発明の実施の形態１におけるコスト削減策提案装置のデータ記憶部に記憶されている日別検証用データの構成例の概要を示す図である。
【図４】本発明の実施の形態１におけるコスト削減策提案装置のデータ記憶部に記憶されている月別検証用データの構成例の概要を示す図である。
【図５】本発明の実施の形態１におけるコスト削減策提案装置のデータ記憶部に記憶されている設置機器データの構成例の概要を示す図である。
【図６】本発明の実施の形態１におけるコスト削減策提案装置のデータ記憶部に記憶されているコスト削減策データの構成例の概要を示す図である。
【図７】本発明の実施の形態１における全体処理の概要を示す図である。
【図８Ａ】本発明の実施の形態１における検証用データ生成処理の概要を示す図である。
【図８Ｂ】本発明の実施の形態１における検証用データ生成処理の概要を示す、図８Ａに続く図である。
【図９】本発明の実施の形態１におけるコスト削減策選択処理の概要を示す図である。
【図１０】本発明の実施の形態１におけるコスト削減策提案装置のディスプレイに表示されるコスト削減策表示画面の概要を示す図である。
【図１１】本発明の実施の形態１におけるコスト削減策提案装置のデータ記憶部に記憶されている月別単相三線使用係数の構成例の概要を示す図である。
【図１２】本発明の実施の形態２における検証用データ生成処理の概要を示す図である。
【発明を実施するための形態】
【００１３】  以下、本発明の実施の形態を図面に基づいて詳細に説明する。なお、実施の形態を説明するための全図において、同一部には原則として同一の符号を付し、その繰り返しの説明は省略する。
（実施の形態１）
＜システム構成＞
【００１４】  図１は、本発明の実施の形態１におけるコスト削減策提案システム１０の構成例の概要を示す図である。図１に示されるように、コスト削減策提案システム１０は、電力計測器１００と、電力計測器１００と接続されるコスト削減策提案装置２００とを有する。
【００１５】  電力計測器１００は、計測対象の施設の電力の使用状況を計測することで、単相三線の電力の使用状況を示す生データ（電力を消費した日付や曜日や時刻、単相三線の有効消費電力量、Ｒ平均電流値、Ｔ平均電流値、Ｒ平均電圧、Ｔ平均電圧などを含む）を取得する。電力計測器１００は、計測対象の施設に１週間設置されることで、１週間分の電力の使用状況を計測する。
【００１６】  コスト削減策提案装置２００は、電力計測器１００から１週間分の単相三線の電力の使用状況を示す生データを取得する。また、削減策提案装置２００は、データ抽出部２１０と、検証用データ生成部２２０と、コスト削減策出力部２３０と、データ記憶部２４０とを有する。年間の消費量が安定している単相三線の電力の使用状況を示す生データを取得することで、後述する処理にて、より正確に１年間の電力の使用状況を推測できる。
【００１７】  データ抽出部２１０は、予め設定されている電力計測データを構成する各データ項目（日付、時刻、有効消費電力量、Ｒ平均電流値、Ｔ平均電流値、Ｒ平均電流最大値、Ｔ平均電流最大値）をキーに生データを検索する。これによって、データ抽出部２１０は、電力計測データを構成するデータ項目と対応する値を取得する。例えば、データ抽出部２１０は、対象施設の単相三線の電力の使用状況を示す生データから、日付と、時刻と、有効消費電力量と、Ｒ平均電圧と、Ｔ平均電圧と、Ｒ平均電流値と、Ｔ平均電流値と、を含む電力計測データを抽出する。
【００１８】  データ抽出部２１０は、取得した、各データ項目の値に基づき、複数の電力計測データを含む抽出データ（後述、図２）を生成する。また、データ抽出部２１０は、生成した抽出データをデータ記憶部２４０に記憶する。これによって、生データに基づき自動で抽出データを生成でき、作業性が向上する。抽出データは、例えば、ＣＳＶ（Ｃｏｍｍａ−Ｓｅｐａｒａｔｅｄ  Ｖａｌｕｅｓ）データで構成される
【００１９】  検証用データ生成部２２０は、データ記憶部２４０に記憶されている抽出データを取得する。検証用データ生成部２２０は、検証用データ生成処理（後述、図８）を実行する。これによって、検証用データ生成部２２０は、取得した抽出データに基づく検証用データ（日別検証用データ（前述、図３）および月別検証用データ（前述、図４））を生成し、生成した検証用データ（日別検証用データおよび月別検証用データ）をデータ記憶部２４０に記憶する。
【００２０】  例えば、検証用データ生成部２２０は、抽出データに基づき、単相三線使用量の割合と、単相三線の使用量と、Ｒ平均電流値とＴ平均電流値との差が最大となるＲ平均電流値およびＴ平均電流値との少なくともいずれか一つ以上を算出し、抽出データから値が最大となるＴ平均電圧およびＲ平均電圧を抽出することで日別検証用データを生成する。
【００２１】  検証用データ生成部２２０は、日付と、総有効消費電力量と、Ｒ平均電流値と、Ｔ平均電流値と、Ｒ平均電圧と、Ｔ平均電圧との少なくともいずれか一つ以上を含む、１週間分の日別検証用データに基づいて、１ヶ月の間の単相三線の使用量である月間単相三線使用量を算出する。
【００２２】  また、検証用データ生成部２２０は、算出したある月の月間単相三線使用量に、月ごとの単相三線使用量の割合（単相三線使用量が変動する割合）を示す月別単相三線使用係数（後述、図１１）を乗算することで、各月（１週間分の日別検証表データに基づいて月間単相三線使用量を算出した月以外の、他の月）の月間単相三線使用量を算出する。
【００２３】  コスト削減策出力部２３０は、検証データ生成部２２０により生成された検証用データ（日別検証用データおよび月別検証用データ）をデータ記憶部２４０から取得する。そして、コスト削減策出力部２３０は、コスト削減策出力処理（後述、図９）を実行することで、日別検証用データと月別検証用データとの少なくともいずれか一方に基づき、コスト削減策を選択し、選択した検証用データに基づくコスト削減策を出力する。
【００２４】  より詳細には、コスト削減策出力部２３０は、月別検証用データに含まれる電力使用量全体に対する単相三線使用量の割合と、日別検証用データに含まれる単相三線のＲ相のＲ平均電圧と、単相三線のＴ相のＴ平均電圧と、単相三線のＲ相のＲ平均電流値と単相三線のＴ相のＴ平均電流値との差と、の少なくともいずれか一つ以上に基づき、コスト削減策を選択する。
【００２５】  例えば、コスト削減策出力部２３０は、単相三相使用量の割合が所定値未満である場合に、コスト削減策として三相三線の消費電力の削減を行う三相三線消費電力削減装置を選択する。
【００２６】  また、コスト削減策出力部２３０は、データ記憶部２４０から設置機器データを取得する。そして、コスト削減策出力部２３０は、取得した設置機器データを構成する機器名ごとに、総消費電力を算出する。より詳細には、コスト削減策出力部２３０は、機器名ごとに対応する消費電力と台数と稼働時間とを乗算することで総消費電力を算出する。
【００２７】  そして、コスト削減策出力部２３０は、電力が計測された対象施設に白熱灯、蛍光灯、水銀灯のいずれかが使用されており、かつ、単相三線使用量の割合が所定値以上である場合に、コスト削減策としてＬＥＤ照明を選択する。なお、コスト削減策出力部２３０は、電力が計測された対象施設に白熱灯、蛍光灯、水銀灯のいずれかが使用されており、かつ、使用されている白熱灯、蛍光灯、水銀灯のいずれかの総消費電力が所定値以上である場合にコスト削減策としてＬＥＤ照明を選択しても良い。
【００２８】  また、コスト削減策出力部２３０は、Ｒ平均電圧とＴ平均電圧との少なくともいずれか一方が所定値を超える場合に、コスト削減策としてＲ平均電圧とＴ平均電圧とを抑制する電圧抑制装置を選択する。
【００２９】  なお、コスト削減策出力部２３０は、Ｒ平均電圧とＴ平均電圧との少なくともいずれか一方が所定値を超え、かつ、Ｒ平均電圧とＴ平均電流値との差が所定値以上である場合に、コスト削減策としてＲ平均電圧とＴ平均電圧とを抑制する電圧抑制装置を選択するようにしても良い。
また、コスト削減策出力部２３０は、電力が計測された対象施設の屋上の面積が所定値以上である場合に、コスト削減策として太陽光発電システムを選択する。
【００３０】  また、コスト削減策出力部２３０は、各月の最大需要電力の平均値を算出し、各月の最大需要電力のうち、平均値を所定値以上超える最大需要電力がある場合に、コスト削減策として単相三線消費電力削減装置を選択する。
【００３１】  また、コスト削減策出力部２３０は、選択したコスト削減策を導入することによるコスト削減額と、コスト削減策を導入した場合の導入コストと、導入コストをコスト削減額で除算することで得られる設置コスト回収年数との少なくともいずれか一つ以上を含むコスト削減策提案情報を出力する。例えば、コスト削減策出力部２３０は、コスト削減策提案情報を含むコスト削減策表示画面（後述、図１０）を、コスト削減策提案装置２００のディスプレイに表示させる。
【００３２】  なお、コスト削減策出力部２３０は、コスト削減策提案情報を含む紙面を、コスト削減策提案装置２００とネットワーク（有線または無線）を介して接続されるプリンター（不図示）に印刷させるようにしても良い。
＜抽出データ＞
【００３３】  図２は、本発明の実施の形態１におけるコスト削減策提案装置２００のデータ記憶部２４０に記憶されている抽出データの構成例の概要を示す図である。図２に示されるように、抽出データは、日付、曜日、時刻、有効消費電力量、Ｒ平均電流値、Ｔ平均電流値、Ｒ平均電圧、Ｔ平均電圧などのデータ項目からなる電力計測データにより構成される。
【００３４】  日付は、電力が消費された日付を示す。曜日は、電力が消費された曜日を示す。時刻は、電力が消費された時刻を示す。有効消費電力量は、単相三線の消費された電力量を示す。Ｒ平均電流値は、１分間に計測された単相三線のＲ相（ｃｈ１）の平均電流値を示す。Ｔ平均電流値は、１分間に計測された単相三線のＴ相（ｃｈ２）の平均電流値を示す。Ｒ平均電圧は、単相三線のＲ相（ｃｈ１）の平均電圧値を示す。Ｔ平均電圧は、単相三線のＴ相（ｃｈ２）の平均電圧値を示す。
【００３５】  なお、抽出データは、さらに、１分間に計測されたＲ相の最大電流値を示すＲ最大電流値、１分間に計測されたＴ相の最大電流値を示すＴ最大電流値などのデータ項目により構成されるようにしても良い。また、図２に示される例では、３０分ごとに電力計測データがデータ記憶部２４０に記憶されているが、１分ごとに電力計測データをデータ記憶部２４０に記憶するようにしても良い。
＜日別検証用データ＞
【００３６】  図３は、本発明の実施の形態１におけるコスト削減策提案装置２００のデータ記憶部２４０に記憶されている日別検証用データの構成例の概要を示す図である。図３に示されるように、日別検証用データは、日付、曜日、総有効消費電力量、Ｒ平均電流値、Ｔ平均電流値、Ｒ平均電圧、Ｔ平均電圧などのデータ項目により構成される。総有効消費電力量は、１日の間に消費された単相三線の電力量を示す。
＜月別検証用データ＞
【００３７】  図４は、本発明の実施の形態１におけるコスト削減策提案装置２００のデータ記憶部２４０に記憶されている月別検証用データの構成例の概要を示す図である。図４に示されるように、月別検証用データは、月、電力使用量、請求金額、基本料、使用料、月間単相三線使用量、単相三線使用量割合、単相三線使用料などのデータ項目により構成される。
【００３８】  電力使用量は、１ヶ月の間に消費された単相三線の電力量と、１ヶ月の間に消費された三相三線の電力量との合計値を示す。請求金額は、１ヶ月間の単相三線の電力および三相三線の電力を使用したことによって発生する金額を示す。基本料は、１ヶ月間の基本料金を示す。使用量は、１ヶ月間の単相三線の電力および三相三線の電力の使用量の合計値を示す。月間単相三線使用量は、１ヶ月の間に消費された単相三線の電力量を示す。単相三線使用量割合は、全体（単相三線および三相三線）に対する単相三線の電力が使用された割合を示す。単相三線使用料は、１ヶ月間の単相三線の使用量を示す。
＜設置機器データ＞
【００３９】  図５は、本発明の実施の形態１におけるコスト削減策提案装置２００のデータ記憶部２４０に記憶されている設置機器データの構成例の概要を示す図である。図５に示されるように、設置機器データは、機器種別、機器名、消費電力、台数、稼働時間などのデータ項目により構成される。
【００４０】  機器種別は、施設（企業や家庭）に設置される機器の種別（カテゴリ）を示す。機器名は、施設に設置される機器の名称を示す。消費電力は、施設に設置される機器の消費電力を示す。台数は、施設に設置される機器の台数を示す。稼働時間は、機器が１日の間に稼働している時間を示す。
＜コスト削減策データ＞
【００４１】  図６は、本発明の実施の形態１におけるコスト削減策提案装置２００のデータ記憶部２４０に記憶されているコスト削減策データの構成例の概要を示す図である。図６に示されるように、コスト削減策データは、コスト削減策、電力削減率、導入コストなどのデータ項目により構成される
【００４２】  コスト削減策は、コスト削減策の内容を示す。電力削減率は、コスト削減策を採用した場合の電力削減率を示す。導入コストは、コスト削減策を採用するために必要となる金額を示す。
＜月別単相三線使用係数＞
【００４３】  図１１は、本発明の実施の形態１におけるコスト削減策提案装置２００のデータ記憶部２４０に記憶されている月別単相三線使用係数の構成例の概要を示す図である。月別単相三線使用係数は、月ごとの単相三線使用量の割合を示す。また、図１１に示されるように、月別単相三線使用係数は、各月（１月〜１２月）ごとにデータ記憶部２４０に記憶されている。
【００４４】  図１１に示されるように１月の月別単相三線使用係数は１００％であり、２月の月別単相三線使用係数は１１０％であり、３月の月別単相三線使用係数は９５％である。そのため、例えば、１月の月間の単相三線の使用量（月間単相三線使用量）が１００００ｋＷｈである場合、２月の月間単相三線使用量は１１０００ｋＷｈ（１００００ｋＷｈ×１１０％）となり、３月の月間単相三線使用量は９５００ｋＷｈ（１００００ｋＷｈ×９５％）となる。
＜全体処理＞
図７は、本発明の実施の形態１における全体処理の概要を示す図である。
【００４５】  まず、Ｓ７０１にて、コスト削減策提案装置２００のデータ抽出部２１０は、電力計測器１００から単相三線の１週間分の電力の使用状況を示す生データを取得する。年間の消費量が安定している単相三線の電力の使用状況を示す生データを取得することで、後述する処理にて、より正確に１年間の電力の使用状況を推測できる。なお、コスト削減策提案装置２００は、三相三線の１週間分の電力の使用状況を表す生データを取得するようにしても良い。
【００４６】  次に、Ｓ７０２にて、コスト削減策提案装置２００のデータ抽出部２１０は、予め設定されている電力計測データを構成する各データ項目（日付、時刻、有効使用電力量、Ｒ平均電流値、Ｔ平均電流値、Ｒ電圧、Ｔ平均電圧）をキーにＳ７０１にて取得した生データ（単相三線の１週間分の電力の使用状況を示す生データ）を検索する。これによって、データ抽出部２１０は、電力計測データを構成するデータ項目と対応する値（１週間分の値）を取得する。
【００４７】  次に、Ｓ７０３にて、コスト削減策提案装置２００のデータ抽出部２１０は、Ｓ７０２にて取得した、各データ項目の値に基づき、１週間分の電力計測データをから構成される抽出データを生成する。また、データ抽出部２１０は、生成した抽出データをデータ記憶部２４０に記憶する。
【００４８】  次に、Ｓ７０４にて、コスト削減策提案装置２００の検証用データ生成部２２０は、データ記憶部２４０から１週間分の電力計測データから構成される抽出データを取得する。
【００４９】  次に、Ｓ７０５にて、コスト削減策提案装置２００の検証用データ生成部２２０は、検証用データ生成処理（後述、図８）を実行する。これによって、検証用データ生成部２２０は、Ｓ７０４にて取得した抽出データに基づく日別検証用データ（前述、図３）と、月別検証用データ（前述、図４）とを生成し、生成した日別検証用データと、月別検証用データとをデータ記憶部２４０に記憶する。
【００５０】  次に、Ｓ７０６にて、コスト削減策提案装置２００のコスト削減策出力部２３０は、Ｓ７０５にて生成された日別検証用データと、月別検証用データとをデータ記憶部２４０から取得する。
【００５１】  次に、Ｓ７０７にて、コスト削減策提案装置２００のコスト削減策出力部２３０は、コスト削減策出力処理（後述、図９）を実行する。これによって、コスト削減策出力部２３０は、日別検証用データと月別検証用データとの少なくともいずれか一方に基づき、コスト削減策を選択し、選択したコスト削減策を出力する。
＜検証用データ生成処理＞
図８Ａ、Ｂは、本発明の実施の形態１における検証用データ生成処理の概要を示す図である。図８Ｂは、図８Ａに続く図である。
【００５２】  まず、Ｓ８０１にて、検証用データ生成部２２０は、抽出データ（１週間分の電力計測データから構成される）に含まれる日付（または曜日）から、一つの日付（または曜日）を選択する。なお、検証用データ生成部２２０は、これまでに選択していない日付を選択する。また、検証用データ生成部２２０は、これまでに選択していない曜日を選択するようにしても良い。
次に、Ｓ８０２にて、検証用データ生成部２２０は、Ｓ８０１にて選択した日付をキーに抽出データを検索し、対応する電力計測データをすべて取得する。
【００５３】  次に、Ｓ８０３にて、検証用データ生成部２２０は、Ｓ８０２にて取得した各電力計測データから、総有効消費電力量を抽出する。例えば、検証用データ生戒部２２０は、最も遅い時刻に計測された有効消費電力量を総有効消費電力量として抽出する。
【００５４】  次に、Ｓ８０４にて、検証用データ生成部２２０は、Ｓ８０２にて取得した電力計測データを構成する時刻ごとのＲ平均電流値とＴ平均電流値との差を算出する。例えば、検証用データ生成部２２０は、Ｒ平均電流値からＴ平均電流値を減算することで、時刻ごとのＲ平均電流値とＴ平均電流値との差を算出する。なお、検証用データ生成部２２０は、Ｔ平均電流値からＲ平均電流値を減算することで、時刻ごとのＲ平均電流値とＴ平均電流値との差を算出するようにしても良い。
次に、Ｓ８０５にて、検証用データ生成部２２０は、差（Ｒ平均電流値とＴ平均電流値との差）が最大となるＲ平均電流値とＴ平均電流値とを抽出する。
【００５５】  次に、Ｓ８０６にて、検証用データ生成部２２０は、Ｓ８０２にて取得した電力計測データを構成するＲ平均電圧の中から、値が最大となるＲ平均電圧を抽出する。なお、検証用データ生成部２２０は、値が最大となるＲ平均電圧と、当該Ｒ平均電圧と対応する（一対の）Ｔ平均電圧を取得しても良い。
【００５６】  次に、Ｓ８０７にて、検証用データ生成部２２０は、Ｓ８０２にて取得した電力計測データを構成するＲ平均電圧の中から、値が最大となるＴ平均電圧を抽出する。なお、検証用データ生成部２２０は、値が最大となるＴ平均電圧と、当該Ｔ平均電圧と対応するＲ平均電圧を取得しても良い。
【００５７】  次に、Ｓ８０８にて、検証用データ生成部２２０は、Ｓ８０１にて選択した日付と、Ｓ８０３にて抽出した総有効消費電力量と、Ｓ８０５にて抽出したＲ平均電流値およびＴ最大電流値と、Ｓ８０６にて抽出したＲ平均電圧と、Ｓ８０７にて抽出したＴ平均電圧とからなる、日別検証用データを生成する。そして、検証用データ生成部２２０は、生成した日別検証用データをデータ記憶部２４０に記憶する。
【００５８】  なお、検証用データ生成部２２０は、Ｓ８０１にて選択した日付と、Ｓ８０３にて抽出した総有効消費電力量と、Ｓ８０５にて抽出したＲ平均電流値およびＴ最大電流値と、Ｓ８０６にて抽出したＲ平均電圧と当該Ｒ平均電圧と一対のＴ平均電圧と、Ｓ８０７にて抽出したＴ平均電圧と当該Ｔ平均電圧と一対のＲ平均電圧とからなる、日別検証用データを生成するようにしても良い。
【００５９】  次に、Ｓ８０９にて、検証用データ生成部２２０は、Ｓ８０１にて１週間分のすべての日付（または曜日）を選択したか否かを判定する。検証用データ生成部２２０が、Ｓ８０１にてすべての日付を選択していないと判定する場合（Ｓ８０９−Ｎｏ）、Ｓ８０１に戻る。一方、検証用データ生成部２２０が、Ｓ８０１にてすべての日付を選択したと判定する場合（Ｓ８０９−Ｙｅｓ）、Ｓ８１０へ進む。
次に、Ｓ８１０にて、検証用データ生成部２２０は、Ｓ８０８にてデータ記憶部２４０に記憶した１週間分の日別検証用データを取得する。
【００６０】  次に、Ｓ８１１にて、検証用データ生成部２２０は、Ｓ８１０にて取得した１週間分の日別検証用データに基づいて、月（Ｓ８１０にて取得した日別検証用データを構成する日付から特定される月）間の単層三線の使用量（月間単相三線使用量）を算出する。
【００６１】  より詳細には、まず、検証用データ生成部２２０は、月間単相三線使用量を算出する月を構成する曜日の数を算出する。例えば、１週間分の日別検証用データが、２０１５年７月６日（月）〜２０１５年７月１２日（日）である場合、検証用データ生成部２２０は、２０１５年の７月を構成する曜日の数を、月曜日が「４日」、火曜日が「４日」、水曜日が「５日」、木曜日が「５日」、金曜日が「５日」、土曜日が「４日」、日曜日が「４日」として算出する。
【００６２】  そして、検証用データ生成部２２０は、１週間分の日付検証用データから特定される曜日ごとに、総有効消費電力量と算出した曜日の数とを乗算することで、曜日ごとの単相三線の使用量の合計値を算出する。例えば、曜日ごとの総有効消費電力量が、月曜日が「８２２ｋＷｈ」、火曜日が「８４３ｋＷｈ」、水曜日が「８９１ｋＷｈ」、木曜日が「９０４ｋＷｈ」、金曜日が「８８１ｋＷｈ」、土曜日が「８３１ｋＷｈ」、日曜日が「８５５ｋＷｈ」である場合、検証用データ生成部２２０は、曜日ごとの単相三線の使用量の合計値として、月曜日（８２２ｋＷｈ×４日＝３２８８ｋＷｈ）、火曜日（８４３ｋＷｈ×４日＝３３７２ｋＷｈ）、水曜日（８９１ｋＷｈ×５日＝４４５５ｋＷｈ）、木曜日（９０４ｋＷｈ×５日＝４５２０ｋＷｈ）、金曜日（８８１ｋＷｈ×５日＝４４０５ｋＷｈ）、土曜日（８３１ｋＷｈ×４日＝３３２４ｋＷｈ）、日曜日（８５５ｋＷｈ×４日＝３４２０ｋＷｈ）と算出する。
【００６３】  そして、検証用データ生成部２２０は、曜日ごとの単相三線の使用量の合計値を積算することで、月間の単相三線の使用量（月間単相三線使用量）を算出する。例えば、検証用データ算出部２２０は、曜日ごとの単相三線の使用量の合計値（月曜日３２８８ｋＷｈ、火曜日３３７２ｋＷｈ、水曜日４４０５ｋＷｈ、木曜日４５２０ｋＷｈ、金曜日４４０５ｋＷｈ、土曜日３３２４ｋＷｈ、日曜日３４２０ｋＷｈ）を積算することで、月間の単相三線の使用量（７月２６７３４ｋＷｈ）を算出する。
【００６４】  なお、検証用データ生成部２２０は、Ｓ８１０にて取得した１週間分の日別検証用データを構成する各総有効消費電力量を積算することで、１週間の単相三線の使用量（週間単相三線使用量）を算出し、算出した週間単相三線使用量を４倍することで、月間の単相三線の使用量（月間単相三線使用量）を算出しても良い。
【００６５】  次に、Ｓ８１２にて、検証用データ生成部２２０は、月（Ｓ８１０にて取得した日別検証用データを構成する日付から特定される月、または、Ｓ８２１で選択した月）の電力使用量を取得する。なお、検証用データ生成部２２０は、コスト削減提案装置２００に予め入力（例えば、電力会社から定期的に送付される電力明細書に記載されているデータが入力される）されている電力使用量をデータ記憶部２４０から取得するようにしても良い。
【００６６】  次に、Ｓ８１３にて、検証用データ生成部２２０は、Ｓ８１２にて算出した電力使用量に基づき、公知の手法により月（Ｓ８１０にて取得した日別検証用データを構成する日付から特定される月、または、Ｓ８２１で選択した月）の請求金額を算出する。なお、検証用データ生成部２２０は、コスト削減提案装置２００に予め入力（例えば、電力会社から定期的に送付される電力明細書に記載されているデータが入力される）されている請求金額をデータ記憶部２４０から取得するようにしても良い。
【００６７】  次に、Ｓ８１４にて、検証用データ生成部２２０は、電力会社から特定される、月（Ｓ８１０にて取得した日別検証用データを構成する日付から特定される月、または、Ｓ８２１で選択した月）の基本料を算出する。なお、検証用データ生成部２２０は、コスト削減提案装置２００に予め入力（例えば、電力会社から定期的に送付される電力明細書に記載されているデータが入力される）されている基本料をデータ記憶部２４０から取得するようにしても良い。
【００６８】  次に、Ｓ８１５にて、検証用データ生成部２２０は、Ｓ８１３にて算出した請求金額からＳ８１４にて算出した基本料を減算することで月（Ｓ８１０にて取得した日別検証用データを構成する日付から特定される月、または、Ｓ８２１で選択した月）の使用料を算出する。
【００６９】  次に、Ｓ８１６にて、検証用データ生成部２２０は、月（Ｓ８１０にて取得した日別検証用データを構成する日付から特定される月、または、Ｓ８２１で選択した月）の単層三線使用量割合を算出する。より詳細には、検証用データ生成部２２０は、Ｓ８１１にて算出した月間単相三線使用量を、Ｓ８１２にて算出した月間の電力使用量で除算することで月（Ｓ８１０にて取得した日別検証用データを構成する日付から特定される月、または、Ｓ８２１で選択した月）の単層三線使用量割合を算出する。
【００７０】  次に、Ｓ８１７にて、検証用データ生成部２２０は、Ｓ８１５にて算出した使用量に、Ｓ８１１にて算出した月間単相三線使用量割合を乗算することで月（Ｓ８１０にて取得した日別検証用データを構成する日付から特定される月、または、Ｓ８２１で選択した月）の単層三線使用料を算出する。
【００７１】  次に、Ｓ８１８にて、検証用データ生成部２２０は、月（Ｓ８１０にて取得した日別検証用データを構成する日付から特定される月、または、Ｓ８２１で選択した月）と、Ｓ８１２にて算出した電力使用量と、Ｓ８１３にて算出した請求金額と、Ｓ８１４にて算出した基本料と、Ｓ８１５にて算出した使用量と、Ｓ８１１にて算出した月間単相三線使用量と、Ｓ８１７にて算出した単相三線使用量割合と、Ｓ８１８にて算出した単相三線使用量とを対応付けた月別検証用データをデータ記憶部２４０に記憶する。
【００７２】  次に、Ｓ８１９にて、検証用データ生成部２２０は、Ｓ８１０にて取得した日別検証用データを構成する日付から特定される月（Ｓ８１１にて算出した単層三線の使用量を算出した月）をキーにデータ記憶部を検索し、各月（１月〜１２月）の月別単相三線使用係数（前述、図１１）を取得する。
【００７３】  次に、Ｓ８２０にて、検証用データ生成部２２０は、Ｓ８２１にてすべての月を選択したか否かを判定する。検証用データ生成部２２０が、Ｓ８２１にてすべての月を選択していないと判定する場合（Ｓ８２０−Ｎｏ）、Ｓ８２１に進む。一方、検証用データ生成部２２０が、Ｓ８２１にてすべての月を選択したと判定する場合（Ｓ８２０−Ｙｅｓ）、検証用データ生成処理を終了する。
【００７４】  次に、Ｓ８２１にて、検証用データ生成部２２０は、１２か月の月の中からから、一つの月を選択する。なお、検証用データ生成部２２０は、これまでに選択していない月（未だ月別検証用データを生成していない月）を選択する。
【００７５】  次に、Ｓ８２２にて、検証用データ生成部２２０は、Ｓ８１１にて算出した単層三線の使用量（月間単相三線使用量）に、月別単相三線使用係数（Ｓ８２１にて選択した月と対応する月間単相三線使用係数）を乗算することで、Ｓ８２１にて選択した月の単層三線の使用量（月間単相三線使用量）を算出する。例えば、Ｓ８２１にて１月を選択した場合、検証用データ生成部２２０は、検証用データ生成部２２０は、Ｓ８１１にて算出した７月の月間単相三線使用量（２６７３４ｋＷｈ）に、Ｓ８２１にて選択した月（１月）と対応する月間単相三線使用係数（例えば、１１２％）を乗算することで、１月の月間単相三線使用量（２９９４２ｋＷｈ）を算出する。Ｓ８２２の次は、Ｓ８１２に戻る。
＜コスト削減策出力処理＞
図９は、本発明の実施の形態１におけるコスト削減策出力処理の概要を示す図である。
まず、Ｓ９０１にて、コスト削減策出力部２３０は、データ記憶部２４０から日別検証用データ（前述、図３）と、月別検証用データ（前述、図４）とを取得する。
【００７６】  次に、Ｓ９０２にて、コスト削減策出力部２３０は、Ｓ９０１にて取得した月別検証用データを構成する単相三線使用量割合が所定値（例えば、４０％）未満か否かを判定する。コスト削減策出力部２３０が、単相三線使用量割合が所定値未満ではないと判定する場合（Ｓ９０２−Ｎｏ）、Ｓ９０４へ進む。一方、コスト削減策出力部２３０が、単相三線使用量割合が所定値未満であると判定する場合（Ｓ９０２−Ｙｅｓ）、Ｓ９０３へ進む。
【００７７】  次に、Ｓ９０３にて、コスト削減策出力部２３０は、三相三線の消費電力の削減を行う三相三線消費電力削減装置を選択する。そして、コスト削減策出力部２３０は、三相三線消費電力削減装置の導入コストと、電力削減率とをデータ記憶部２４０から取得する。また、コスト削減策出力部２３０は、データ記憶部２４０から年間の三相三線の電力使用量の合計値（以下、年間三相三線電力使用量と呼ぶ場合がある）を取得する。また、コスト削減策出力部２３０は、三相三線消費電力削減装置の導入コストをデータ記憶部２４０から取得する。
【００７８】  次に、Ｓ９０４にて、コスト削減策出力部２３０は、Ｓ９０３にて取得した電力削減率に年間三相三線電力使用量を乗算することで、三相三線消費電力削減装置を採用することによる三相三線使用量の削減額と、電力の基本料金の削減額とを算出する。また、コスト削減策出力部２３０は、Ｓ９０３にて取得した導入コストを算出した削減額（三相三線使用量の削減額と、電力の基本料金の削減額との合計値）で除算することで、三相三線消費電力削減装置の導入コスト回収年数を算出する。
【００７９】  次に、Ｓ９０５にて、コスト削減策出力部２３０は、対象施設が白熱灯、蛍光灯、水銀灯のいずれかを使用しており、かつ、単相三線使用量割合が所定値（例えば、４０％）以上か否かを判定する。コスト削減策出力部２３０が、単相三線使用量割合が所定値以上ではないと判定する場合（Ｓ９０５−Ｎｏ）、Ｓ９０７へ進む。一方、コスト削減策出力部２３０が、単相三線使用量割合が所定値以上であると判定する場合（Ｓ９０５−Ｙｅｓ）、Ｓ９０６へ進む。
【００８０】  次に、Ｓ９０６にて、コスト削減策出力部２３０は、ＬＥＤ（Ｌｉｇｈｔ  Ｅｍｉｔｔｉｎｇ  Ｄｉｏｄｅ）照明を選択する。そして、コスト削減策出力部２３０は、ＬＥＤ照明の導入コストと、電力削減率とをデータ記憶部２４０から取得する。また、コスト削減策出力部２３０は、データ記憶部２４０から年間単相三線電力使用量を取得する。また、コスト削減策出力部２３０は、ＬＥＤ照明の導入コストをデータ記憶部２４０から取得する。
【００８１】  次に、Ｓ９０７にて、コスト削減策出力部２３０は、Ｓ９０６にて取得した電力削減率に年間単相三線電力使用量を乗算することで、単相三線消費電力削減装置を採用することによる単相三線使用量の削減額と、電力の基本料金の削減額とを算出する。また、コスト削減策出力部２３０は、Ｓ９０６にて取得した導入コストを算出した削減額（単相三線使用量の削減額と、電力の基本料金の削減額との合計値）で除算することで、ＬＥＤ照明の導入コスト回収年数を算出する。
【００８２】  次に、Ｓ９０８にて、コスト削減策出力部２３０は、Ｓ９０１にて取得した日別検証用データを構成するＲ平均電圧とＴ平均電圧との少なくともいずれか一方が、所定値（例えば、１００Ｖ）を未満か否かを判定する。コスト削減策出力部２３０が、Ｒ平均電圧とＴ平均電圧との少なくともいずれか一方が所定値を超えないと判定する場合（Ｓ９０８−Ｎｏ）、Ｓ９１０へ進む。一方、コスト削減策出力部２３０が、Ｒ平均電圧とＴ平均電圧との少なくともいずれか一方が所定値を超えると判定する場合、（Ｓ９０８−Ｙｅｓ）、Ｓ９０９へ進む。
【００８３】  なお、コスト削減策出力部２３０が、データ記憶部２４０に記憶されているすべてのＲ平均電圧とＴ平均電圧のうち、値が１００Ｖ未満のＲ平均電圧やＴ平均電圧の割合が３０％以上である場合に、Ｓ９０９へ進むようにしても良い。
【００８４】  また、コスト削減作出力部２３０が、Ｒ平均電圧とＴ平均電圧との少なくともいずれか一方が、所定値（例えば、１０１Ｖ）を超えていると判定する場合にＳ９０９へ進むようにしても良い。
【００８５】  次に、Ｓ９０９にて、コスト削減策出力部２３０は、Ｒ平均電圧とＴ平均電圧とを抑制する電圧抑制装置を選択する。そして、コスト削減策出力部２３０は、電圧抑制装置の導入コストと、電力削減率とをデータ記憶部２４０から取得する。また、コスト削減策出力部２３０は、データ記憶部２４０から年間単相三線電力使用量を取得する。また、コスト削減策出力部２３０は、電圧抑制装置の導入コストをデータ記憶部２４０から取得する。
【００８６】  次に、Ｓ９１０にて、コスト削減策出力部２３０は、Ｓ９０９にて取得した電力削減率に年間単相三線電力使用量を乗算することで、電圧抑制装置を採用することによる単相三線使用量の削減額と、電力の基本料金の削減額とを算出する。また、コスト削減策出力部２３０は、Ｓ９０９にて取得した導入コストを算出した削減額（単相三線使用量の削減額と、電力の基本料金の削減額との合計値）で除算することで、電圧抑制装置の導入コスト回収年数を算出する。
次に、Ｓ９１１にて、コスト削減策出力部２３０は、年間の電気料金の総額（以下、年間電気料金と呼ぶ場合がある）を算出する。
次に、Ｓ９１２にて、コスト削減策出力部２３０は、これまでに選択した各コスト削減策による削減額の合計値である、総削減額を算出する。
【００８７】  次に、Ｓ９１３にて、コスト削減策出力部２３０は、Ｓ９１２で算出した総削減額をＳ９１１にて算出した年間電気料金で除算することで、トータルでの削減率である総削減率を算出する。
【００８８】  次に、Ｓ９１４にて、コスト削減策出力部２３０は、Ｓ９１１にて算出した年間電気料金をＳ９１２にて算出した総削減額で除算することで、トータルでの導入コスト回収年数である総導入コスト回収年数を算出する。
【００８９】  次に、Ｓ９１５にて、コスト削減策出力部２３０は、Ｓ９１１にて算出した年間電気料金と、Ｓ９１２にて算出した総削減額と、Ｓ９１３にて算出した総削減率と、削減対象の電力使用料の種別（単相三線使用料と、三相三線使用料と、基本料金）これまでに選択したコスト削減策と、導入コストと、削減額と、導入コスト回収年数と、導入コストの合計額と、総導入コスト回収年数とを含むコスト削減策表示画面（後述、図１０）を、コスト削減策提案装置２００のディスプレイに表示させる。なお、コスト削減策出力部２３０は、コスト削減策出力部２３０は、Ｓ９１１にて算出した年間電気料金と、Ｓ９１２にて算出した総削減額と、Ｓ９１３にて算出した総削減率と、削減対象の電力使用料の種別（単相三線使用料と、三相三線使用料と、基本料金）これまでに選択したコスト削減策と、導入コストと、削減額と、導入コスト回収年数と、導入コストの合計額と、総導入コスト回収年数とが印字された紙面を、コスト削減策提案装置２００とネットワーク（有線または無線）を介して接続されるプリンター（不図示）に印刷させるようにしても良い。
【００９０】  なお、Ｓ９０６にて、コスト削減策出力部２３０が、Ｒ平均電圧とＴ平均電圧との少なくともいずれか一方が所定値（例えば、１０１Ｖ）を超え、かつ、日別検証用データを構成するＲ平均電流値とＴ平均電流値との差が所定値（例えば、５Ａ）以上である場合と判定する場合に、Ｓ９０７へ進み、Ｒ平均電圧とＴ平均電圧とを抑制する電圧抑制装置を選択しても良い。
＜コスト削減策表示画面＞
図１０は、本発明の実施の形態１におけるコスト削減策提案装置２００のディスプレイに表示されるコスト削減策表示画面の概要を示す図である。
【００９１】  図１０に示されるように、コスト削減策表示画面は、年間電気料金が表示される年間料金表示欄１０１０を含む。また、コスト削減策表示画面は、総削減額が表示される総削減額表示欄１０２０を含む。また、コスト削減策表示画面は、総削減率が表示される総削減率表示欄１０３０を含む。
【００９２】  また、コスト削減策表示画面は、削減対象の電力使用料の種別（単相三線使用量と、三相三線使用量と、基本料金と、合計）と、これまでにコスト削減策出力部２３０により選択されたコスト削減策と、導入コストと、削減額と、導入コスト回収年数と、が対応付けて表示される、対費用効果表示欄１０４０を含む。
＜実施の形態１の効果＞
【００９３】  以上説明した本実施の形態によれば、コスト削減策出力部２３０が、検証用データに基づきコスト削減策を選択し、選択したコスト削減策を導入することによるコスト削減額と、コスト削減策を導入した場合の導入コストと、導入コストをコスト削減額で除算することで得られる設置コスト回収年数と、の少なくともいずれか一つ以上を含むコスト削減策提案情報を出力することで、ユーザ（対象施設）の電力使用状況を考慮した上で、複数存在するコスト削減策の中からどのコスト削減策を、選択すれば良いのかを提案できる。また、導入することによる対費用効果を一目を確認でき、対象施設の担当者にコスト削減策を導入するか否かを判断させやすくできる。
【００９４】  また、コスト削減策出力部２３０が、単相三相使用量の割合が所定値未満である場合に、コスト削減策として三相三線の消費電力の削減を行う三相三線消費電力削減装置を選択することで、三相三線消費電力削減装置を導入するか否かを検討するのに必要だった工数を削減できる。また、三相三線の消費電力の使用状況が所定以上の場合に自動的に三相三線使用料を低減させるための提案ができる。
【００９５】  また、コスト削減策出力部２３０が、電力が計測された対象施設に白熱灯、蛍光灯、水銀灯のいずれかが使用されており、かつ、単相三線使用量の割合が所定値以上である場合に、コスト削減策としてＬＥＤ照明を選択することで、ＬＥＤ照明を導入するか否かを検討するのに必要だった工数を削減できる。また、白熱灯、蛍光灯、水銀灯のいずれかによる電力使用量が所定以上の場合に自動的に単相三線使用料を低減させるための提案ができる。
【００９６】  また、コスト削減策出力部２３０が、Ｒ平均電圧とＴ平均電圧との少なくともいずれか一方が所定値を超え、かつ、Ｒ平均電圧とＴ平均電流値との差が所定値以上である場合に、コスト削減策としてＲ平均電圧とＴ平均電圧とを抑制する電圧抑制装置を選択することで、生データから対象となるＲ平均電圧、Ｔ平均電圧、Ｒ平均電圧、Ｔ平均電圧を抽出し、これらを比較検討するという工数を削減できる。また、Ｒ平均電圧、Ｔ平均電圧、Ｒ平均電圧、Ｔ平均電圧の検証結果に応じて、自動的に単相三線使用料を低減させるための提案ができる。
【００９７】  また、コスト削減策出力部２３０は、各月の最大需要電力の平均値を算出し、各月の最大需要電力のうち、平均値を所定値以上超える最大需要電力がある場合に、コスト削減策として単相三線消費電力削減装置を選択することで、単相三線消費電力削減装置を選択する工数を削減できるとともに、自動的に基本料金が高額にならないようにするための提案ができる。なお、コスト削減策出力部２３０は、１週間分の生データに基づき、１週間の最大需要電力の平均値を算出し、１週間の間に、平均値をを所定値以上超える最大需要電力がある場合に、コスト削減策として単相三線消費電力削減装置を選択するようにしても良い。
【００９８】  また、データ抽出部２１０が、対象施設の単相三線の電力の使用状況を示す生データから有効消費電力量と、Ｒ平均電圧と、Ｔ平均電圧と、Ｒ平均電流値と、Ｔ平均電流値と、を含む電力計測データを抽出することで、検証用データの抽出作業を自動化でき、検証用データを抽出するのに必要な工数を削減できる。
【００９９】  また、検証用データ生成部２２０が、抽出データに基づき、単相三線使用量の割合と、単相三線の使用量と、Ｒ平均電流値とＴ平均電流値との差が最大となるＲ平均電流値およびＴ平均電流値との少なくともいずれか一つ以上を算出および／または抽出データから値が最大となるＴ平均電圧およびＲ平均電圧を抽出することで、検証用データの生成を自動化でき、工数を削減できる。
【０１００】  また、検証用データ生成部２２０が、日付と、総有効消費電力量と、前記Ｒ平均電流値と、前記Ｔ平均電流値と、前記Ｒ平均電圧と、前記Ｔ平均電圧との少なくともいずれか一つ以上を含む、１週間分の日別検証用データに基づいて、１ヶ月の間の単相三線の使用量である月間単相三線使用量を算出することで、１週間分の単相三線の電力の使用状況を計測するだけで（１ヶ月分の単相三線の電力の使用状況を計測することなく）、月間単相三線使用量を算出できる。これによって、可及的速やかに対象施設の担当者にコスト削減策を提案できる。
（実施の形態２）
【０１０１】  実施の形態２が実施の形態１と異なる点は、実施の形態１の単相三線の電力の使用状況を示す生データが１週間分しか存在しないのに対し、実施の形態２では、１年分の生データが存在する点である。また、実施の形態２では、１年分の生データに基づいて、日別検証用データと月別検証用データが生成される点で異なる。
＜検証用データ生成処理＞
図１２は、本発明の実施の形態２における検証用データ生成処理の概要を示す図である。
【０１０２】  まず、Ｓ１２０１にて、検証用データ生成部２２０は、抽出データに含まれる日付から、一つの日付を選択する。なお、検証用データ生成部２２０は、これまでに選択していない日付を選択する。
次に、Ｓ１２０２にて、検証用データ生成部２２０は、Ｓ１２０１にて選択した日付をキーに抽出データを検索し、対応する電力計測データをすべて取得する。
【０１０３】  次に、Ｓ１２０３にて、検証用データ生成部２２０は、Ｓ１２０２にて取得した各電力計測データから、総有効消費電力量を抽出する。例えば、検証用データ生成部２２０は、最も遅い時刻に計測された有効消費電力量を総有効消費電力量として抽出する。
【０１０４】  次に、Ｓ１２０４にて、検証用データ生成部２２０は、Ｓ１２０２にて取得した電力計測データを構成する時刻ごとのＲ平均電流値とＴ平均電流値との差を算出する。例えば、検証用データ生成部２２０は、Ｒ平均電流値からＴ平均電流値を減算することで、時刻ごとのＲ平均電流値とＴ平均電流値との差を算出する。なお、検証用データ生成部２２０は、Ｔ平均電流値からＲ平均電流値を減算することで、時刻ごとのＲ平均電流値とＴ平均電流値との差を算出するようにしても良い。
次に、Ｓ１２０５にて、検証用データ生成部２２０は、差（Ｒ平均電流値とＴ平均電流値との差）が最大となるＲ平均電流値とＴ平均電流値とを抽出する。
【０１０５】  次に、Ｓ１２０６にて、検証用データ生成部２２０は、Ｓ１２０２にて取得した電力計測データを構成するＲ平均電圧の中から、値が最大となるＲ平均電圧を抽出する。なお、検証用データ生成部２２０は、値が最大となるＲ平均電圧と、当該Ｒ平均電圧と対応する（一対の）Ｔ平均電圧を取得しても良い。
【０１０６】  次に、Ｓ１２０７にて、検証用データ生成部２２０は、Ｓ１２０２にて取得した電力計測データを構成するＲ平均電圧の中から、値が最大となるＴ平均電圧を抽出する。なお、検証用データ生成部２２０は、値が最大となるＴ平均電圧と、当該Ｔ平均電圧と対応するＲ平均電圧を取得しても良い。
【０１０７】  次に、Ｓ１２０８にて、検証用データ生成部２２０は、Ｓ１２０１にて選択した日付と、Ｓ１２０３にて抽出した総有効消費電力量と、Ｓ１２０５にて抽出したＲ平均電流値およびＴ最大電流値と、Ｓ１２０６にて抽出したＲ平均電圧と、Ｓ１２０７にて抽出したＴ平均電圧とからなる、日別検証用データを生成する。そして、検証用データ生成部２２０は、生成した日別検証用データをデータ記憶部２４０に記憶する。
【０１０８】  なお、検証用データ生成部２２０は、Ｓ１２０１にて選択した日付と、Ｓ１２０３にて抽出した総有効消費電力量と、Ｓ１２０５にて抽出したＲ平均電流値およびＴ最大電流値と、Ｓ１２０６にて抽出したＲ平均電圧と当該Ｒ平均電圧と一対のＴ平均電圧と、Ｓ１２０７にて抽出したＴ平均電圧と当該Ｔ平均電圧と一対のＲ平均電圧とからなる、日別検証用データを生成するようにしても良い。
【０１０９】  次に、Ｓ１２０９にて、検証用データ生成部２２０は、Ｓ１２０１にてすべての日付を選択したか否かを判定する。検証用データ生成部２２０が、Ｓ１２０１にてすべての日付を選択していないと判定する場合（Ｓ１２０９−Ｎｏ）、Ｓ１２０１に戻る。一方、検証用データ生成部２２０が、Ｓ１２０１にてすべての日付を選択したと判定する場合（Ｓ１２０９−Ｙｅｓ）、Ｓ１２１０へ進む。
【０１１０】  次に、Ｓ１２１０にて、検証用データ生成部２２０は、抽出データに含まれる日付を構成する月（例えば、１２か月の月の中）から、一つの月を選択する。なお、検証用データ生成部２２０は、これまでに選択していない月を選択する。
【０１１１】  次に、Ｓ１２１１にて、検証用データ生成部２２０は、Ｓ１２１０にて選択した月をキーにデータ記憶部２４０を検索し、キーと対応する月を含む日別検証用データをすべて取得する。
【０１１２】  次に、Ｓ１２１２にて、検証用データ生成部２２０は、Ｓ１２１０に選択した月の電力使用量を取得する。なお、検証用データ生成部２２０は、コスト削減提案装置２００に予め入力（例えば、電力会社から定期的に送付される電力明細書に記載されているデータが入力される）されている電力使用量をデータ記憶部２４０から取得するようにしても良い。
【０１１３】  次に、Ｓ１２１３にて、検証用データ生成部２２０は、Ｓ１２１２にて算出した電力使用量に基づき、公知の手法によりＳ１２１０にて選択した月の請求金額を算出する。なお、検証用データ生成部２２０は、コスト削減提案装置２００に予め入力（例えば、電力会社から定期的に送付される電力明細書に記載されているデータが入力される）されている請求金額をデータ記憶部２４０から取得するようにしても良い。
【０１１４】  次に、Ｓ１２１４にて、検証用データ生成部２２０は、電力会社から特定される、Ｓ１２１０に選択した月の基本料を算出する。なお、検証用データ生成部２２０は、コスト削減提案装置２００に予め入力（例えば、電力会社から定期的に送付される電力明細書に記載されているデータが入力される）されている基本料をデータ記憶部２４０から取得するようにしても良い。
【０１１５】  次に、Ｓ１２１５にて、検証用データ生成部２２０は、Ｓ１２１３にて算出した請求金額からＳ１２１４にて算出した基本料を減算することでＳ１２１０に選択した月の使用料を算出する。
【０１１６】  次に、Ｓ１２１６にて、検証用データ生成部２２０は、Ｓ１２１１にて取得した各日別検証用データを構成する各総有効消費電力量を積算することで、月間の単層三線の使用量（月間単相三線使用量）を算出する。
【０１１７】  次に、Ｓ１２１７にて、検証用データ生成部２２０は、Ｓ１２１０に選択した月の単層三線使用量割合を算出する。より詳細には、検証用データ生成部２２０は、Ｓ１２１６にて算出した月間単相三線使用量を、Ｓ１２１２にて算出した月間の電力使用量で除算することでＳ１２１０に選択した月の単層三線使用量割合を算出する。
【０１１８】  次に、Ｓ１２１８にて、検証用データ生成部２２０は、Ｓ１２１５にて算出した使用量に、Ｓ１２１６にて算出した月間単相三線使用量割合を乗算することでＳ１２１０に選択した月の単層三線使用料を算出する。
【０１１９】  次に、Ｓ１２１９にて、検証用データ生成部２２０は、Ｓ１２１０にて選択した月と、Ｓ１２１２にて算出した電力使用量と、Ｓ１２１３にて算出した請求金額と、Ｓ１２１４にて算出した基本料と、Ｓ１２１５にて算出した使用量と、Ｓ１２１６にて算出した月間単相三線使用量と、Ｓ１２１７にて算出した単相三線使用量割合と、Ｓ１２１８にて算出した単相三線使用量とを対応付けた月別検証用データをデータ記憶部２４０に記憶する。
【０１２０】  次に、Ｓ１２２０にて、検証用データ生成部２２０は、Ｓ１２１０にてすべての月を選択したか否かを判定する。検証用データ生成部２２０が、Ｓ１２１０にてすべての月を選択していないと判定する場合（Ｓ１２２０−Ｎｏ）、Ｓ１２１０に戻る。一方、検証用データ生成部２２０が、Ｓ１２１０にてすべての月を選択したと判定する場合（Ｓ１２２０−Ｙｅｓ）、検証用データ生成処理を終了する。
＜実施の形態２の効果＞
以上説明した実施の形態２によれば、１年分の生データに基づき、より精度の高い月別検証用データを生成できる。
【０１２１】  以上、本発明者によってなされた発明を実施の形態に基づき具体的に説明したが、本発明は前記実施の形態に限定されるものではなく、その要旨を逸脱しない範囲で種々変更可能であることはいうまでもない。
【０１２２】  例えば、コスト削減策提案装置がスマートフォンやタブレット端末である実施形態もある。また、コスト削減策提案装置は、デスクトップ型のＰＣ（Ｐｅｒｓｏｎａｌ  Ｃｏｍｐｕｔｅｒ）や、ノート型ＰＵや、スマートフォンや、タブレット端末にも、様々な形態の端末を全て含むものである。
【０１２３】  また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１２４】  また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。
【符号の説明】
【０１２５】１０…コスト削減策提案システム、
１００…電力計測器、
２００…コスト削減策提案装置、２１０…データ抽出部、２２０…検証用データ生成部、２３０…コスト削減策出力部、２４０…データ記憶部。
【図１】
2017162422.tif 000003
【図２】
2017162422.tif 000004
【図３】
2017162422.tif 000005
【図４】
2017162422.tif 000006
【図５】
2017162422.tif 000007
【図６】
2017162422.tif 000008
【図７】
2017162422.tif 000009
【図８Ａ】
2017162422.tif 000010
【図８Ｂ】
2017162422.tif 000011
【図９】
2017162422.tif 000012
【図１０】
2017162422.tif 000013
【図１１】
2017162422.tif 000014
【図１２】
2017162422.tif 000015